【手続補正書】
【提出日】平成29年9月25日(2017.9.25)
【手続補正１】
【補正対象書類名】明細書
【補正対象項目名】０００６
【補正方法】変更
【補正の内容】
【０００６】
実施形態の医用画像診断装置は、第１設定部と、第２設定部と、受付部と、変更部とを備える。第１設定部は、対象部位を含む３次元領域に関する第１の医用画像データに対して、前記対象部位の概形を構成する複数の構成点を離散的に配置する。第２設定部は、前記第１の医用画像データに対して、前記複数の構成点のいずれかの位置に基づく、関心領域の境界線を設定する。受付部は、操作者により操作された入力装置から前記境界線の位置を変更する指示を受け付ける。変更部は、前記指示が受け付けられた場合に、前記複数の構成点の位置は変更せずに、前記複数の構成点の少なくとも一つの位置に基づいて、前記関心領域の前記境界線の位置を変更する。
【手続補正２】
【補正対象書類名】特許請求の範囲
【補正対象項目名】全文
【補正方法】変更
【補正の内容】
【特許請求の範囲】
【請求項１】
対象部位を含む３次元領域に関する第１の医用画像データに対して、前記対象部位の概形を構成する複数の構成点を離散的に配置する第１設定部と、
前記第１の医用画像データに対して、前記複数の構成点のいずれかの位置に基づく、関心領域の境界線を設定する第２設定部と、
操作者により操作された入力装置から前記境界線の位置を変更する指示を受け付ける受付部と、
前記指示が受け付けられた場合に、前記複数の構成点の位置は変更せずに、前記複数の構成点の少なくとも一つの位置に基づいて、前記関心領域の前記境界線の位置を変更する変更部と、
を備える医用画像診断装置。
【請求項２】
前記関心領域の前記境界線の位置の変更前において、前記概形の一部および前記境界線の位置が変更される前の前記関心領域を示す３次元画像データにレンダリング処理を実行することで得られた第１のレンダリング画像を表示部に表示させる表示制御部を更に備え、
前記表示制御部は、前記関心領域の前記境界線の位置の変更後において、前記概形の一部および前記境界線の位置が変更された後の前記関心領域を示す３次元画像データにレンダリング処理を実行することで得られた第２のレンダリング画像を前記表示部に表示させる、
請求項１に記載の医用画像診断装置。
【請求項３】
前記受付部は、前記表示部に表示された前記第１のレンダリング画像に対する前記指示を受け付ける、
請求項２に記載の医用画像診断装置。
【請求項４】
前記複数の構成点の位置に基づいて、前記第１の医用画像データおよび前記第１の医用画像データと収集された時相が異なる第２の医用画像データの間の追跡処理を実行し、前記追跡処理の結果に基づいて、前記関心領域に関する運動情報を算出する算出部を更に備え、
前記表示制御部は、前記関心領域に関する運動情報を、所定の表示態様で、前記表示部に表示させる、
請求項３に記載の医用画像診断装置。
【請求項５】
前記対象部位は心腔である、
請求項１〜４のいずれか一つに記載の医用画像診断装置。
【請求項６】
前記第１のレンダリング画像および前記第２のレンダリング画像には、隣り合う構成点同士を結ぶ線分が表現される、
請求項３又は４に記載の医用画像診断装置。
【請求項７】
前記第１のレンダリング画像および前記第２のレンダリング画像には、構成点が表現される、
請求項３又は４に記載の医用画像診断装置。
【請求項８】
前記対象部位の概形における前記境界線は、前記複数の構成点の少なくとも一つを通るように設定される、
請求項１〜７のいずれか一つに記載の医用画像診断装置。
【請求項９】
前記境界線は、変更前の境界線が通らない構成点のうち少なくとも一つを、変更後の境界線が通るように変更される、
請求項１〜８のいずれか一つに記載の医用画像診断装置。
【請求項１０】
前記受付部は、前記指示として、前記境界線および前記関心領域に含まれる頂点の少なくとも一方の位置を調整する旨の指示を受け付け、
前記変更部は、前記指示により位置が調整される頂点、又は、境界線に含まれる頂点が、前記複数の構成点のいずれかと一致するように調整する、
請求項１〜９のいずれか一つに記載の医用画像診断装置。
【請求項１１】
前記第２設定部は、更に、前記頂点及び前記境界線のそれぞれを識別する識別情報を設定し、
前記受付部は、前記指示として、前記識別情報を指定する旨の指示を受け付ける、
請求項１０に記載の医用画像診断装置。
【請求項１２】
前記第２設定部は、前記関心領域として、互いに隣接する複数の領域を含む領域群を設定する、
請求項１〜１１のいずれか一つに記載の医用画像診断装置。
【請求項１３】
前記第２設定部は、前記第１の医用画像データにおいて撮影された心臓の部位に応じて、前記関心領域を設定する、
請求項１〜１２のいずれか一つに記載の医用画像診断装置。
【請求項１４】
前記関心領域を関連付けた前記心臓のポーラーマップを前記表示部に表示させる表示制御部を更に備え、
前記受付部は、前記表示部に表示されたポーラーマップの頂点又は境界線に対する操作に基づいて、対応する頂点又は境界線の位置情報の調整を受け付ける、
請求項１〜１３のいずれか一つに記載の医用画像診断装置。
【請求項１５】
前記関心領域の境界が調整されるごとに、調整後の関心領域に含まれる前記複数の位置の運動情報に関する値を算出する算出部を更に備える、
請求項１〜１４のいずれか一つに記載の医用画像診断装置。
【請求項１６】
前記算出部によって前記値が算出されるごとに、前記値を前記表示部に表示する表示制御部を更に備える、
請求項１５に記載の医用画像診断装置。
【請求項１７】
前記医用画像診断装置は、超音波画像診断装置である、
請求項１〜１６のいずれか１つに記載の医用画像診断装置。
【請求項１８】
対象部位を含む３次元領域に関する第１の医用画像データに対して、前記対象部位の概形を構成する複数の構成点を離散的に配置する第１設定部と、
前記第１の医用画像データに対して、前記複数の構成点のいずれかの位置に基づく、関心領域の境界線を設定する第２設定部と、
操作者により操作された入力装置から前記境界線の位置を変更する指示を受け付ける受付部と、
前記指示が受け付けられた場合に、前記複数の構成点の位置は変更せずに、前記複数の構成点の少なくとも一つの位置に基づいて、前記関心領域の前記境界線の位置を変更する変更部と、
を備える画像処理装置。
【請求項１９】
画像処理装置によって実行される画像処理方法であって、
対象部位を含む３次元領域に関する第１の医用画像データに対して、前記対象部位の概形を構成する複数の構成点を離散的に配置し、
前記第１の医用画像データに対して、前記複数の構成点のいずれかの位置に基づく、関心領域の境界線を設定し、
操作者により操作された入力装置から前記境界線の位置を変更する指示を受け付け、
前記指示が受け付けられた場合に、前記複数の構成点の位置は変更せずに、前記複数の構成点の少なくとも一つの位置に基づいて、前記関心領域の前記境界線の位置を変更する、
各処理を含む画像処理方法。
【請求項２０】
対象部位を含む３次元領域に関する第１の医用画像データに対して、前記対象部位の概形を構成する複数の構成点を離散的に配置し、
前記第１の医用画像データに対して、前記複数の構成点のいずれかの位置に基づく、関心領域の境界線を設定し、
操作者により操作された入力装置から前記境界線の位置を変更する指示を受け付け、
前記指示が受け付けられた場合に、前記複数の構成点の位置は変更せずに、前記複数の構成点の少なくとも一つの位置に基づいて、前記関心領域の前記境界線の位置を変更する、
各処理をコンピュータに実行させる画像処理プログラム。